(57)【要約】【課題】  本発明は、光トランスポート・システムに関し、特にハブを有する光リング・ネットワークにおいてトラフィックを保護するためのシステム及び方法に関する。光リングネットワーク利用現状に即した、ネットワークトポロジーを構成する場合に光リングネットワークの障害を保護すること目的とする。【解決手段】本発明によれば、インターネットコンテンツを有するコアネットワークと加入者が接続されるネットワークを接続するハブノードに、トラフィックを選択的に送りまたは終端する機能を設けることで、第1リングと第２リングに障害が生じた場合に、終端する位置を変えることで、光リングネットワークの障害を保護することができる。【選択図】図４
2006191643.tif 000002
【特許請求の範囲】
【請求項１】
第１光信号を第１方向に伝送する第１リングと、
第2光信号を該第１方向とは反対の第２方向に伝送する第２リングと、
該第１リング上の該第１光信号を通過または遮断する第１選択手段と、該第１選択手段からの該第１光信号を加入者に分岐し加入者からの信号を該第１リングに挿入する第１分岐／挿入手段と、該第２リング上の該第２光信号を通過または遮断する第２選択手段と、該第２選択手段からの該第２光信号を加入者に分岐し加入者からの信号を該第２リングに挿入する第２分岐／挿入手段とを有するアクセスノードと、
該第１リング上の該第１光信号を光コア・ネットワークに分岐する第１分岐手段と、該光コア・ネットワークからの信号を該第１リングに挿入するための第１挿入手段と、該第１分岐手段と該第1挿入手段の間に該第１光信号のトラフィックを選択的に送り又は終端させる第１波長遮断ユニットと、該第2リング上の該第2光信号を分岐する第２分岐手段と、該光コア・ネットワークからの信号を該第２リングに挿入するための第２挿入手段と、該第2分岐手段と該第２挿入手段の間に該第２光信号のトラフィックを選択的に送り又は終端させる第２波長遮断ユニットとを有するハブ・ノード
を有することを特徴とする光ネットワーク。
【請求項２】
第１リングネットワーク上の第１光信号を通過または遮断する第１選択手段と、
該第１選択手段からの該第１光信号を加入者に分岐し加入者からの信号を該第１リングネットワークに挿入する第１分岐／挿入手段と、
該２リングネットワーク上の第２光信号を通過または遮断する第２選択手段と、
該第２選択手段からの該第２光信号を加入者に分岐し加入者からの信号を該第２リングネットワークに挿入する第２分岐／挿入手段と
を有することを特徴とするアクセスノード。
【請求項３】
第１リングネットワーク上の該第１光信号を光コア・ネットワークに分岐する第１分岐手段と、
該光コア・ネットワークからの信号を該第１リングネットワークに挿入するための第１挿入手段と、
該第１分岐手段と該第1挿入手段の間に該第１光信号のトラフィックを選択的に送り又は終端させる第１波長遮断ユニットと、
第2リングネットワーク上の該第2光信号を分岐する第２分岐手段と、
該光コア・ネットワークからの信号を該第２リングネットワークに挿入するための第２挿入手段と、
該第2分岐手段と該第２挿入手段の間に該第２光信号のトラフィックを選択的に送り又は終端させる第２波長遮断ユニットと
を有することを特徴とするハブ・ノード。
【発明の詳細な説明】
【技術分野】
【０００１】
本発明は、光トランスポート・システムに関し、特にハブを有する光リング・ネットワークにおいてトラフィックを保護するためのシステム及び方法に関する。
【背景技術】
【０００２】
遠隔通信システム、ケーブルテレビジョン・システム及びデータ通信ネットワークは遠く離れたポイント間で大量の情報を迅速に伝えるために光ネットワークを使用する。光ネットワークでは、情報は光信号の形で光ファイバーを通して伝えられる。光ファイバーは、信号を長距離にわたって非常に低いロスで伝送することのできるガラスの細いストランドを含む。
【０００３】
光ネットワークは、伝送容量を増大させるために波長分割多重（ＷＤＭ）或いは高密度波長分割多重（ＤＷＤＭ）をよく使用する。ＷＤＭネットワーク及びＤＷＤＭネットワークでは、数個の光チャネルが各ファイバーにおいて多様な波長で伝えられる。ネットワーク容量は各ファイバーにおける波長或いはチャネルの数と、該チャネルの帯域幅或いはサイズとに基づく。
【０００４】
ＷＤＭネットワーク及びＤＷＤＭネットワークをどの様な類型で構築するかということは、その様なネットワークをどの程度まで利用できるかを判定する上で重要な役割を果たす。リング・トポロジーは、今日のネットワークにおいて普通である。ＷＤＭアド／ドロップ装置は、その様な光リングの周囲でネットワーク素子として役立つ。各ネットワーク素子（ノード）でＷＤＭアド／ドロップ装置を用いることによって、複合信号全体をその成分チャネルに充分に多重分離してスイッチングする（アド／ドロップ或いは通過させる）ことができる。
【特許文献１】特開２０００−２０９２４４号公報
【発明の開示】
【発明が解決しようとする課題】
【０００５】
光リングネットワークにおいて、加入者をノードに収容する、アクセスネットワークを構成した場合、光リングネットワーク上の加入者を収容したノード間を介して、加入者同士が通信を行っている量は全体の１０乃至２０％である。
【０００６】
残りは、加入者を収容したノードと外部のネットワークに接続されたノードの間で通信が行われている。その理由は、ノードに接続された加入者は加入者同士で通信を行う事は少なく、インターネットのコンテンツを提供するサーバーにアクセスし、情報通信を行っているためである。
【０００７】
従って、光リングネットワーク利用現状に即した、ネットワークトポロジーを構成する必要がある。
【０００８】
本願発明は、この光リングネットワーク利用現状に即したネットワークトポロジーを構成する場合に光リングネットワークの障害を保護すること目的とする。
【課題を解決するための手段】
【０００９】
本発明は、上述した目的を達成するために以下の構成を採用する。
【００１０】
第１の手段として、光ネットワークは
第１光信号を第１方向に伝送する第１リングと、
第2光信号を該第１方向とは反対の第２方向に伝送する第２リングと、
該第１リング上の該第１光信号を通過または遮断する第１選択手段と、該第１選択手段からの該第１光信号を加入者に分岐し加入者からの信号を該第１リングに挿入する第１分岐／挿入手段と、該第２リング上の該第２光信号を通過または遮断する第２選択手段と、該第２選択手段からの該第２光信号を加入者に分岐し加入者からの信号を該第２リングに挿入する第２分岐／挿入手段とを有するアクセスノードと、
該第１リング上の該第１光信号を光コア・ネットワークに分岐する第１分岐手段と、該光コア・ネットワークからの信号を該第１リングに挿入するための第１挿入手段と、該第１分岐手段と該第1挿入手段の間に該第１光信号のトラフィックを選択的に送り又は終端させる第１波長遮断ユニットと、該第2リング上の該第2光信号を分岐する第２分岐手段と、該光コア・ネットワークからの信号を該第２リングに挿入するための第２挿入手段と、該第2分岐手段と該第２挿入手段の間に該第２光信号のトラフィックを選択的に送り又は終端させる第２波長遮断ユニットとを有するハブ・ノードを有する。
【００１１】
第２の手段として、アクセスノードは
第１リングネットワーク上の第１光信号を通過または遮断する第１選択手段と、
該第１選択手段からの該第１光信号を加入者に分岐し加入者からの信号を該第１リングネットワークに挿入する第１分岐／挿入手段と、
該２リングネットワーク上の第２光信号を通過または遮断する第２選択手段と、
該第２選択手段からの該第２光信号を加入者に分岐し加入者からの信号を該第２リングネットワークに挿入する第２分岐／挿入手段とを有する。
【００１２】
第３の手段として、ハブ・ノードは
第１リングネットワーク上の該第１光信号を光コア・ネットワークに分岐する第１分岐手段と、
該光コア・ネットワークからの信号を該第１リングネットワークに挿入するための第１挿入手段と、
該第１分岐手段と該第1挿入手段の間に該第１光信号のトラフィックを選択的に送り又は終端させる第１波長遮断ユニットと、
第2リングネットワーク上の該第2光信号を分岐する第２分岐手段と、
該光コア・ネットワークからの信号を該第２リングネットワークに挿入するための第２挿入手段と、
該第2分岐手段と該第２挿入手段の間に該第２光信号のトラフィックを選択的に送り又は終端させる第２波長遮断ユニットとを有する。
【発明の効果】
【００１３】
本発明によれば、インターネットコンテンツを有するコアネットワークと加入者が接続されるネットワークを接続するハブノードに、トラフィックを選択的に送りまたは終端する機能を設けることで、第1リングと第２リングに障害が生じた場合に、終端する位置を変えることで、光リングネットワークの障害を保護することができる。
【発明を実施するための最良の形態】
【００１４】
本発明は、ハブを有する光リング・ネットワークにおいてトラフィックの保護スイッチングに配慮したコンポーネントを有する光ネットワークを提供する。
【００１５】
本発明の特定の実施態様では、光アクセス・ネットワークは、光信号を逆の方向に伝える第１リングと第２リングとを含む。該ネットワークは、両方のリングに結合されて該第１リングで伝えられる第１光信号の第１波長のトラフィックを加えるアクセス・ノードも含んでいる。更に、該ネットワークは、各リングに結合され且つ光コア・ネットワークに結合されたハブ・ノードを含む。該ハブ・ノードは、該第１光信号を受け取り、該信号の第１コピーを、該第１波長のトラフィックを終端させる第１波長遮断ユニットに送り、該信号の第２コピーを、該第１波長のトラフィックを該コア・ネットワークに送る第１ネットワーク相互接続素子に転送する。更に、該第１リングでの該第１波長のトラフィックの中断が検出されると、該アクセス・ノードは、該第２リングで伝えられる第２光信号の第２波長のトラフィックを加える。更に、該ハブ・ノードは、該第２光信号を受け取り、その信号の第１コピーを、該第２波長のトラフィックを終端させる第２波長遮断ユニットに送り、該信号の第２コピーを、該第２波長のトラフィックを該コア・ネットワークに送る第２ネットワーク相互接続素子に送る。
【００１６】
本発明の１つ以上の実施態様の技術的利点は、ハブ・ノードを介してコア・ネットワークに結合された、アクセス・ネットワークなどの改良されたハブを有する光ネットワークを提供することを含む。特定の実施態様では、その様なローカル・アクセス・ネットワークは、低コストの受動的アド／ドロップ（分岐/挿入）ノード（「アクセス・ノード」）とハブ・ノードとを含むことができる。その様な実施態様では、このハブ・ノードは、該アクセス・ネットワークの、コア・ネットワークへの光学的に透明な相互接続を提供することができ、また、ハブ・ノードとアクセス・ノードとの間のトラフィック（すなわち、アクセス・ノードとコア・ネットワークの間のトラフィック）と複数のアクセス・ノード間のトラフィックとのための故障防止を提供するように設定可能であり得る。
【００１７】
本発明の種々の実施態様は、上記の技術的利点のうちの一部を、或いは全部を含むことができ、或いは全く含まないことがあることが理解されるであろう。更に、当業者にとっては、ここに含まれる図、説明、及び請求項から、本発明の他の１つ以上の技術的利点が明白であろう。
図１は、本発明の一実施態様に従う光ネットワーク１０を示すブロック図である。この実施態様では、ネットワーク１０は光リングである。光リングは、単一の単方向ファイバー、単一の双方向ファイバー、或いは複数の単方向ファイバー又は双方向ファイバーを適宜含むことができる。図示されている実施態様では、ネットワーク１０は、各々逆方向にトラフィックを運ぶ１対の単方向ファイバーを、具体的には第１ファイバーすなわちリング１６と第２ファイバーすなわちリング１８とを、含む。リング１６及び１８は複数のノード１２及び１４を接続している。ネットワーク１０は、数個の光チャネルが異なる波長／チャネルで１つの共通経路で運ばれるようになっている光ネットワークである。ネットワーク１０は、波長分割多重（ＷＤＭ）、高密度波長分割多重（ＤＷＤＭ）、或いは他の適切な多チャネル・ネットワークであり得る。図示されている実施態様では、ネットワーク１０は、数個のアクセス・ノード１２と、ネットワーク１０を大都市コア・ネットワーク２０に接続するハブ・ノード１４とを含む大都市アクセス・ネットワークである。しかし、ネットワーク１０は、ハブ・ノード１４を介して他の１つのネットワーク或いは複数のネットワークの組み合わせに結合される他の任意の適切なネットワーク又は複数のネットワークの組み合わせであり得る。ここでの大都市コアネットワークとはインターネットなどのコンテンツを提供するサーバーなどが配置されているネットワークを意味している。
【００１８】
図１を参照すると、複数の光情報信号がリング１６及び１８で異なる方向に伝送される。該光信号は、オーディオ・データ、ビデオ・データ、テキスト・データ、実時間データ、非実時間データ及び／又は他の適切なデータを符号化するために変調される少なくとも１つの特性を有する。図示されている実施態様では、第１リング１６は、トラフィックが時計回り方向に伝送されるようになっている時計回りリングである。第２リング１８は、トラフィックが反時計回り方向に伝送されるようになっている反時計回りリングである。アクセス・ノード１２は、夫々、リング１６及び１８にトラフィックを受動的に加え（挿入し）、またこれらのリングからトラフィックを受動的に落とす（分岐）ように作用することができる。具体的には、各アクセス・ノード１２は、ローカル・クライアントからトラフィックを受け取り、そのトラフィックをリング１６及び１８に加える。同時に、各アクセス・ノード１２は、リング１６及び１８からトラフィックを受け取り、該ローカル・クライアント宛のトラフィックを落とす。この明細書と、以下の請求項との全体において使用されるとき、「各」という用語は、指示されたアイテムの少なくとも部分集合のうちの全てのアイテムを意味する。トラフィックを加えるとき及び落とすとき、アクセス・ノード１２は、クライアントからのデータを結合させてリング１６及び１８で伝送させることができ、またリング１６及び１８からのデータのチャネルをクライアントに向けて落とすことができる。トラフィックをローカル・クライアントへ伝送し得るようにすることによって、トラフィックを落とすことができる。従って、トラフィックは、落とされても、なおリングに沿って循環し続けることができる。アクセス・ノード１２は、トラフィックのチャネル間隔に関わらずにリング１６及び１８でトラフィックを伝送し、従ってアクセス・ノード１２に「柔軟な」チャネル間隔を提供する。この文脈において「受動的に」という用語は、動力、電気、及び／又は運動する部品無しでチャネルを加え或いは落とすことを意味する。従って能動的装置は動力、電気或いは運動する部品を用いて仕事を実行する。本発明の特定の実施態様では、該トランスポート・リングで（多重化／多重分離無しで）分割／結合させ且つ／又は該リングで信号の複数の部分を分離することによってトラフィックを受動的にリング１６及び１８に加え且つ／又はこれらのリングから落とすことができる。アクセス・ノード１２に関して以下で図２を参照して更に詳しく説明する。
【００１９】
アクセス・ノード１２は、ハブ・ノード１４を通してコア・ネットワーク２０に結合される。従って、ハブ・ノード１４は、リング１６及び１８を介してアクセス・ノード１２からトラフィックを受け取ってそのトラフィックをコア・ネットワーク２０に伝えるためのコンポーネントと、コア・ネットワーク２０からトラフィックを受け取ってそのトラフィックをアクセス・ノード１２に伝えるためのコンポーネントとを含む。ハブ・ノード１４は、トラフィックが連続的にネットワーク１０を回り続けることを防止し、且つ必要なときにネットワーク１０におけるトラフィックの保護スイッチングに配慮するために、各アクセス・ノード１２からのトラフィックを終端させ或いは通過させるようにも動作することができる。ハブ・ノード１４に関する更なる詳細が以下で図４を参照して説明される。
【００２０】
図２は、本発明の一実施態様に従う図１のアクセス・ノード１２の詳細を示すブロック図である。図２を参照すると、アクセス・ノード１２は、反時計回りトランスポート素子５０ａ、時計回りトランスポート素子５０ｂ、反時計回り分散／結合素子８０ａ、時計回り分散／結合素子８０ｂ、及び管理素子１１０を含む。一実施態様では、素子５０，８０、及び１１０は、該素子の中のコンポーネントと同じく、光ファイバー・リンクで相互に接続され得る。他の実施態様では、該コンポーネントは、平面導波回路及び／又は自由空間光学系で部分的に或いは別様に実現され得る。代わりに、他の任意の適切な接続を使用することができる。更に、アクセス・ノード１２の素子は、夫々、アクセス・ノード１２のカード・シェルフ内の１つ以上の別々のカードとして実現され得る。カード・シェルフ実施態様についての代表的コネクター７０が図２により示されている。コネクター７０は、故障したコンポーネントの能率的でコスト効率の良い交換を可能にする。アクセス・ノード１２の一部分として追加の、異なる且つ／又は他のコネクターを設けることができることが理解されるであろう。
【００２１】
トランスポート素子５０は、リング１６及び１８上に「列を成して（ｉｎ−ｌｉｎｅ）」配置されている。トランスポート素子５０は、トラフィックを受動的に加える（挿入する）動作及び落とす（分岐する）動作に配慮した単一のアド／ドロップカップラー６０（分岐／挿入手段）又は複数のアド／ドロップカップラー６０を含むことができる。図示されている実施態様では、トランスポート素子５０は、各々、単一のアド／ドロップカップラー６０を含む。或いは、別々の落としカップラーと加えカップラーとが、その一方のカップラーが故障しても他方のカップラーがなお分岐或いは挿入することができるようになっていても良い。カップラー６０が記載されているけれども、他の任意の適切な光スプリッターが使用されても良い。この明細書及び以下の請求項の目的上、「カップラー」、「スプリッター」及び「コンバイナ」という用語は、各々、１つ以上の入力光信号を受け取って該入力光信号を分割し或いは結合させて１つ以上の出力光信号にする任意の装置を含むと解されるべきである。トランスポート素子５０は、各素子の入来端及び外出端の光学監視チャネル（ＯＳＣ）フィルター６６と、入来ＯＳＣフィルター６６ａ及び外出ＯＳＣフィルター６６ｂの間の増幅器６４とを更に含む。増幅器６４は、エルビウム・ドーピングされたファイバー増幅器（ｅｒｂｉｕｍ−ｄｏｐｅｄ  ｆｉｂｅｒ  ａｍｐｌｉｆｉｅｒ（ＥＤＦＡ））又は他の適切な増幅器を含むことができる。ＯＳＣフィルター６６は、薄膜型、ファイバーグレイティング型或いは他の適切なタイプのフィルターを含むことができる。
【００２２】
トランスポート素子５０（５０a, ５０b）は、各々、選択手段であるリング・スイッチ６２（これは２×２スイッチ或いは他のスイッチ素子を含むことができる）も含んでおり、このスイッチは、関連するリング上でトラフィックが該スイッチ６２を通過して流れるのを阻止するように関連するリング１６又は１８を選択的に開くように動作することができる。２×２実施態様では、該スイッチ６２は、「クロス」すなわち開位置と「スルー」すなわち閉位置とを含む。後述されるように、特定のアクセス・ノード１２のスイッチ６２は、或る環境では保護スイッチングを可能にするように選択的に構成され得る。
【００２３】
分散／結合素子８０は、各々、分岐信号スプリッター８２と挿入信号コンバイナ８４とを含むことができる。スプリッター８２は、１つの光ファイバー入力リード線と、出力リード線８６として作用する複数の光ファイバー外出リード線とを含むことができる。出力リード線８６は１つ以上のフィルター１００に接続され得、該フィルターは１つ以上の落とし光レシーバー１０２に接続され得る。４つの出力リード線８６が設けられている特定の実施態様では、スプリッター８２は各々２×４光カップラーを含むことができ、この場合、一方の入力リード線は終端させられ、他方の入力リード線はファイバー・セグメントを介してカップラー６０に結合され、４つの外出リード線は出力リード線８６として使用される。図示されている実施態様は４つの出力リード線８６を示しているけれども、以下で更に詳しく説明されるように、任意の適切な数の出力リード線８６を設けることができることが理解されるべきである。
【００２４】
コンバイナ８４も同様に、入力リード線８８として役立つ複数の光ファイバー入力リード線と、１つの光ファイバー外出リード線とを有するカップラーを含むことができる。該入力リード線８８は、１つ以上の加え光トランスミッター１０４に接続され得る。４つの入力リード線８８が設けられる特定の実施態様では、コンバイナ８４は各々２×４光カップラーを含むことができ、この場合、一方の入力リード線は終端させられ、他方の入力リード線はファイバー・セグメントを介してカップラーに結合され、４つの外出リード線は入力リード線８８として使用される。図示されている実施態様は４つの入力リード線８８を示しているけれども、以下で更に詳しく説明されるように、任意の適切な数の入力リード線８８を設けることができることが理解されるべきである。アクセス・ノード１２は、更に、反時計回り加えファイバー・セグメント１４２と、反時計回り落としファイバー・セグメント１４４と、時計回り加えファイバー・セグメント１４６と、時計回り落としファイバー・セグメント１４８とを含んでおり、これらはカップラー６０をスプリッター８２及びコンバイナ８４に接続する。
【００２５】
管理素子１１０は、ＯＳＣレシーバー１１２と、ＯＳＣインターフェース１１４と、ＯＳＣトランスミッター１１６と、素子管理システム（ＥＭＳ）１２４とを含むことができる。アクセス・ノード１２はＯＳＣファイバー・セグメント１５０，１５２、１５４及び１５６も含んでおり、これらは管理素子１１０を入来ＯＳＣフィルター及び外出ＯＳＣフィルター６６に接続する。各ＯＳＣレシーバー１１２、ＯＳＣインターフェース１１４、及びＯＳＣトランスミッター１１６の集合は、アクセス・ノード１２におけるリング１６又は１８の一方のためのＯＳＣユニットを形成する。これらのＯＳＣユニットは、ＥＭＳ１２４のためのＯＳＣ信号を送受信する。ＥＭＳ１２４は、ネットワーク管理システム（ＮＭＳ）１２６に通信可能に結合され得る。ＮＭＳ１２６は、アクセス・ノード１２内に、異なるノードに、或いは全てのアクセス・ノード１２の外部に常駐することができる。
【００２６】
ＥＭＳ１２４及び／又はＮＭＳ１２６は、ネットワーク１０のネットワーク及び／又はノード監視、故障検出、保護スイッチング及びループバック又は局所的試験機能を実行するための符号化された論理を媒体内に含むことができる。論理は、ディスク又は他のコンピュータ可読の媒体において符号化されているソフトウェア及び／又は用途特化集積回路（ＡＳＩＣ）、フィールドプログラマブルゲートアレイ（ＦＰＧＡ）、或いは他のプロセッサー又はハードウェアにおいて符号化されている命令を含むことができる。ＥＭＳ１２４及び／又はＮＭＳ１２６の機能がネットワークの他のコンポーネントにより実行され且つ／又は別様に分散又は集中化されても良いことが理解されるであろう。例えば、ＮＭＳ１２６の動作はノード１２及び／又は１４のＥＭＳ１２４に分布させられても良く、従ってＮＭＳ１２６は別の独立した素子として省略されても良い。同様に、ＯＳＣユニットは、省略されたＮＭＳ１２６及びＥＭＳ１２４と直接通信することができる。
【００２７】
動作時に、トランスポート素子５０は、トラフィックをリング１６及び１８に受動的に加え、またトラフィックをリング１６及び１８から受動的に落とすように動作することができる。トランスポート素子５０は、更に、ＯＳＣ信号をリング１６及び１８に受動的に加え、またＯＳＣ信号をリング１６及び１８から受動的に落とすように動作することができる。より具体的には、各ＯＳＣ入来フィルター６６ａは、その夫々のリング１６又は１８からの入来光信号を処理する。ＯＳＣフィルター６６ａは、該光信号からＯＳＣ信号をフィルタリングし、該ＯＳＣ信号をその夫々のＯＳＣレシーバー１１２に送る。各ＯＳＣフィルター６６ａは、残りのトランスポート光信号を、関連する増幅器６４に送り或いは通過させる。増幅器６４は、該信号を増幅し、その信号を自分と関連しているカップラー６０に送る。これは、関連しているスイッチ６２が閉じているということを仮定している。もしスイッチ６２が開いていれば、増幅された信号は終端させられて、関連するカップラー６０には到達しない。
【００２８】
各カップラー６０は、増幅器６４からの信号を２つのほぼ同一の信号、すなわち外出ＯＳＣフィルター６６ｂに（後述されるように、加えトラフィックと結合された後に）送られるスルー信号と、関連する分散／結合素子８０に送られる分岐信号と、に受動的に分割する。これらの分割された信号は、パワー及び／又はエネルギー・レベルが異なるかもしれないけれども内容が同一であるか或いは実質的に同一であるので、コピーである。各カップラー６０は、このスルー信号を、関連する分散／結合素子８０からの加えトラフィックを含む挿入信号と受動的に結合させる。この結合された信号は、カップラー６０から、関連するOSC抽出フィルター６６ｂに送られる。カップラー６０は、加える（挿入する）こと及び落とす（分岐する）ことの両方のために作用するので、非常に低損失で単純である。カップラー６０で故障が起きると、そのカップラーの交換は加える動作及び落とす動作の両方に影響を及ぼす。これを回避するために、単一のカップラー６０を用いる代わりに分岐カップラーと挿入カップラーとを縦続接続することができる。
【００２９】
各OSC抽出フィルター６６ｂは、関連するＯＳＣトランスミッター１１６からのＯＳＣ信号を前記の結合された光信号に加え、この新たに結合された信号を外出トランスポート信号としてネットワーク１０の関連するリング１６又は１８に送る。この加えられるＯＳＣ信号は、局所的に作られたデータ、或いはＥＭＳ１２４により送られた受信されたＯＳＣデータであり得る。
【００３０】
カップラー６０に転送される前に、局所的に導出された加えトラフィック（局所的クライアント又は加入者からの、他のネットワークからの、或いは任意の他の適切な発信源からの）は、光トランスミッター１０４のうちの１つ以上から分散／結合素子８０で受信される。光トランスミッター１０４のうちの１つ以上は、手動式可変光減衰器などのトランスミッター１０４からの光出力パワーを調整するための１つ以上のコンポーネントを含むことができる。リング１８に加えられるべきトラフィックは分散／結合素子８０ａで受信され、リング１６に加えられるべきトラフィックは分散／結合素子８０ｂで受信される。アクセス・ノード１２でトラフィックが加えられるところの各波長について別々の光トランスミッター１０４が使用され得る。更に、各入力リード線８８は別々の波長と関連付けられ得る。従って、特定のアクセス・ノード１２においてトラフィックが加えられることが望まれるところの各別個のチャネルについてトランスミッター１０４と入力リード線８８とがあり得る。各リング１６及び１８について４つの入力リード線８８が示されているけれども（４つのトランスミッター１０４は明示的に示されてはいないけれども）、任意の適切な数の光トランスミッター１０４と、関連する入力リード線８８とが使用され得ることが理解されるであろう。
【００３１】
特定の分散／結合素子８０と関連している１つ以上のトランスミッター１０４からの加えトラフィックは、関連するコンバイナ８４で受信される。コンバイナ８４は、多数のトランスミッター１０４（当てはまる場合）からの信号を結合させ、その結合された挿入信号を、関連するリング１６又は１８に加えるべく関連するカップラー６０に送る。上記のように、この加えトラフィックは、カップラー６０で、転送されるトラフィックと結合される。コンバイナ８４は、カップラー、マルチプレクサー、或いは他の任意の適切なデバイスであり得る。
【００３２】
図示されている実施態様では、１つの別々の光トランスミッター１０４が各分散／結合素子８０と関連付けられていると記述されている。その様な実施態様では、各リング１６及び１８で別々の信号が伝送され得る。例えば、１つのアクセス・ノード１２において第１信号を特定の波長でリング１６に加えることができ、全く異なる信号を同じアクセス・ノード１２により同じ波長でリング１８に加えることができる。これは、各分散／結合素子８０において各波長が関連する光トランスミッター１０４を有するので、可能である。
【００３３】
しかし、特定の実施態様では、同じトラフィックを両方のリング１６及びリング１８上の１つのアクセス・ノード１２から加えることができる（同じときに或いは別々のときに）。例えば、この二重のトラフィックを、故障防止を提供するために使用することができる。その様な実施態様では、光トランスミッター１０４の２つの別々の集合は不要である。代わりに、分散／結合素子８０ａ及び８０ｂはトランスミッター１０４の１つの集合を共有することができる。その様な場合には、１つの特定の光トランスミッター１０４により作られた複数の挿入信号（１つの特定の波長の複数の挿入信号）は、両方の分散／結合素子８０ａ及び分散／結合素子８０ｂのコンバイナ８４に伝送され得る。従って、同じトラフィックがアクセス・ノード１２によってリング１６及び１８に加えられる。
【００３４】
上記のように、リング１６又は１８上の局所宛てのトラフィックは、カップラー６０を用いて関連する分散／結合素子８０に落とされる。該落としトラフィックは分散／結合素子８０のスプリッター８２で受信され、スプリッター８２は、落とされる信号を複数の概して同一の信号に分割し、各信号を出力リード線８６を介して光レシーバー１０２に送る。特定の実施態様では、光レシーバー１０２により受信された信号は、始めに関連するフィルター１００によってフィルタリングされ得る。フィルター１００は、各フィルターが、別々のチャネルがそれに関連するレシーバー１０２に送られることを許すように、設けられ得る。フィルター１００はチューナブルフィルター（音響光学チューナブルフィルターなど）又は他の適切なフィルターであって良く、レシーバー１０２は広帯域レシーバー又は他の適切なレシーバーであって良い。その様な構成は、特定のリング１６又は１８と関連している各レシーバー１０２が別々の波長を受信し、その波長で伝送される情報を適切なクライアントに送ることを許す。フィルター１００を通過する落とされる光信号は、もし該信号が光学的再生を必要としなければ、その様な信号再生無しでクライアントに光学的に送られ得る。両方のリングで同一のトラフィックが伝送されるときに該２つのリングでトランスミッターを共有することに関して上で記載されたように、レシーバー１０２もその様な状況では共有され得る。この場合、どの信号が最も望ましいかによりリング１６からのトラフィック又はリング１８からのトラフィックを共有されるレシーバー１０２に転換するスイッチをアクセス・ノード１２に包含させることができる。
【００３５】
上で言及されたように、アクセス・ノード１２は素子管理システムも提供する。ＥＭＳ１２４は、アクセス・ノード１２内の全ての素子を監視し且つ／又は制御する。特に、ＥＭＳ１２４は、各リング１６及び１８から、そのリングと関連するＯＳＣレシーバー１１２を介してＯＳＣ信号を電気的フォーマットで受信する（ＯＳＣレシーバー１１２はＯＳＣフィルター６６ａを介して該信号を得る）。ＥＭＳ１２４は、その信号を処理し、該信号を送り且つ／又は該信号をループバックすることができる。従って、例えば、ＥＭＳ１２４は、該電気信号を受信してＯＳＣ信号をＯＳＣトランスミッター１１６及びＯＳＣフィルター６６ｂを介してリング１６又は１８上の次のノードに送り直すことができ、適切な場合にはノード特有のエラー情報又は他の適切な情報をＯＳＣに加える。
【００３６】
一実施態様では、アクセス・ノード１２内の各素子はそれ自身を監視し、故障又は他の問題が発生するとＥＭＳ１２４に対して警報信号を生じさせる。例えば、アクセス・ノード１２のＥＭＳ１２４は、アクセス・ノード１２内の素子及びコンポーネントから種々の警報、すなわち増幅器光喪失（ＬＯＬ）警報、増幅器装置警報、光レシーバー装置警報、光トランスミッター装置警報、或いは他の警報のうちの１つ以上を受け取ることができる。一部の故障は多数の警報を生じさせる可能性を有する。例えば、ファイバー切断は、隣接するノードにおいて増幅器ＬＯＬ警報を生じさせると共に光レシーバーからエラー警報を生じさせる。更に、ＥＭＳ１２４は、アクセス・ノード１２内の適切なファイバー・セグメントとＥＭＳ１２４とに伝達可能に接続された光スペクトル分析器（ＯＳＡ）を用いてアクセス・ノード１２内での光信号の波長及び／又はパワーを監視することができる。
【００３７】
ＮＭＳ１２６は、全てのノード１２及び１４からエラー情報を集め、警報を分析して故障のタイプ及び／又は位置を判定するように動作することができる。その故障のタイプ及び／又は位置に基づいてＮＭＳ１２６は、ネットワーク１０のために必要な保護スイッチング動作を決定する。それらの保護スイッチ動作は、ノード１２及び１４のＥＭＳに命令を発することによってＮＭＳ１２６により実行され得る。
【００３８】
エラー・メッセージは、故障した装置を交換することによって直すことのできる装置故障を示すことができる。例えば、光レシーバー又はトランスミッターの故障は、光レシーバー装置警報又は光トランスミッター装置警報を夫々トリガーすることができ、その光レシーバー又はトランスミッターは必要に応じて交換され得る。
【００３９】
図３は、本発明の一実施態様に従う、図２のアクセス・ノード１２の光カップラー６０の詳細を示すブロック図である。この実施態様では、光カップラー６０は２つの入力と２つの出力とを有するファイバー・カップラーである。光カップラー６０は、他の実施態様では、全体的に又は部分的に導波回路及び／又は自由空間光学系と結合され得る。カップラー６０が１つ又は任意の数の任意の適切な入力及び出力を含むことができ、カップラー６０が出力より多い数の入力を含み得ること、及び入力より多い数の出力を含み得るということが理解されるであろう。
【００４０】
図３を参照すると、光カップラー６０は、メインボディー１８０と、第１入力セグメント１８２と、第２入力セグメント１８４と、第１出力セグメント１８６と、第２出力セグメント１８８とを含む。第１入力セグメント１８２と第１出力セグメント１８６とは１つの第１連続光ファイバーを構成する。第２入力セグメント１８４と第２出力セグメント１８８とは１つの第２連続光ファイバーを構成する。メインボディー１８０の外側で、セグメント１８２，１８４，１８６及び１８８は外被と、クラッドと、コア・ファイバーとを含むことができる。メインボディー１８０の内側では、該第１及び第２の連続光ファイバー間での光信号及び／又は該信号のエネルギーの移動を可能にするために、その外被及びクラッドは除去されて良くて、該コア・ファイバー同士は撚り合わされるなどして互いに結合され得る。この様にして、光スプリッター／カップラー６０は入力セグメント１８２及び１８４から到着した光信号を受動的に結合させ、その結合された信号を受動的に分割して出力セグメント１８６及び１８８を介して送る。複数の信号を結合させ、その後にその結合された信号を分割することにより、或いはファイバー間でエネルギーを移動させることによって信号を同時に結合させ且つ分割することによって、複数の信号を結合させ、その結合された信号を分割することができる。この様にして、光スプリッター／カップラー６０は、主流線におけるチャネル間隔に関する制約無しで柔軟なチャネル間隔を提供する。
【００４１】
図４は、本発明の一実施態様に従う図１のネットワークのハブ・ノード１４の詳細を示すブロック図である。前述されたように、ハブ・ノード１４は、アクセス・ノード１２をコア・ネットワーク１２と相互接続して、アクセス・ノード１２から受信されたトラフィックを選択的に（リング１６及び／又は１８に沿って）通過させ或いは終端させるために使用される。
【００４２】
ハブ・ノード１４は、反時計回りトランスポート素子２００ａと時計回りトランスポート素子２００ｂとを含む。トランスポート素子２００は、各々、波長遮断ユニット２１４を含む。波長遮断ユニット２１４は、各々、デマルチプレクサー２０６と、マルチプレクサー２０４と、トラフィック・チャネル（又は複数のチャネルのグループ）を選択的に送るか或いは終端させるように動作し得るスイッチ２１０のアレイ又は他のコンポーネントを含むことのできるスイッチ素子とを含むことができる。特定の実施態様では、マルチプレクサー２０４とデマルチプレクサー２０６とは、整列させられた導波路を含むことができる。他の実施態様では、マルチプレクサー２０４とデマルチプレクサー２０６とは、ファイバー・ブラッグ格子、薄膜ベースのサブバンド（使用可能な総波長の部分集合である波長のグループ）マルチプレクサー／デマルチプレクサー、或いは他の任意の適切な装置を含むことができる。波長遮断ユニット２１４がサブバンドマルチプレクサー／デマルチプレクサーからなっているならば、ユニット２１４はサブバンドを遮断し或いは送ることができる。スイッチ２１０は、１×２又は他の適切なスイッチ、光学交差結線、又は多重分離されたトラフィック・チャネルを選択的に送り或いは終端させるように動作し得る他の適切なコンポーネントを含むことができる。或いは、波長遮断ユニット２１４は、個々のチャネル又はチャネルのグループを選択的に遮断し或いは送るように共同して動作し得る他の任意のコンポーネントを含むことができる。
【００４３】
アクセス・ノード１２と同様に、ハブ・ノードのトランスポート素子２００はカップラー６０、増幅器６４、ＯＳＣフィルター６６、及びコネクター７０。図示されている実施態様では、カップラー６０ａは各波長遮断ユニット２１４の前に配置され、カップラー６０ｂは各波長遮断ユニット２１４の後に配置されている。分岐手段であるカップラー６０ａは、プリアンプ６４ａからの信号を２つの概して同一の信号、すなわち、波長遮断ユニット２１４に送られるスルー信号と、関連するネットワーク相互接続素子２２０に送られる分岐信号と、に受動的に分割する。その分割された信号は、パワー・レベルが違うかも知れないけれども内容は実質的に同一であり得る。挿入手段であるカップラー６０ｂは、波長遮断ユニット２１４からの信号を夫々のネットワーク相互接続素子２２０からの信号と受動的に結合させる。その結合された信号はカップラー６０ｂからポストアンプ６４ｂに送られる。
【００４４】
トランスポート素子２００は、アクセス・ノード１２のトランスポート素子５０と同様にＯＳＣ信号をリング１６及び１８に受動的に加え、また該信号をこれらのリングから落とすように更に動作し得る。より具体的には、各トランスポート素子２００は、夫々のリング１６又は１８からの入来光信号を処理するＯＳＣ入来フィルター６６ａを含む。各ＯＳＣフィルター６６ａは、光信号からＯＳＣ信号をフィルタリングし、そのＯＳＣ信号を夫々のＯＳＣレシーバー１１２に送る。各ＯＳＣフィルター６６ａは、残りのトランスポート光信号を関連するプリアンプ６４ａに送り或いは通過させる。プリアンプ６４ａは、その信号を増幅し、該信号を自分に関連付けられているカップラー６０ａに送る。
【００４５】
トランスポート素子２００は、各々、OSC抽出フィルター６６ｂも含んでおり、このフィルターは、関連するＯＳＣトランスミッター１１６からのＯＳＣ信号をポストアンプ６４ｂからの光信号に加え、その結合された信号を外出トランスポート信号としてネットワーク１０の関連するリング１６又は１８に送る。その加えられるＯＳＣ信号は、局所的に作られたデータであり得、或いはローカルＥＭＳ１２４により通過させられた被受信ＯＳＣデータであり得る。
【００４６】
ネットワーク相互接続素子２２０は、各々、スプリッター２２２とコンバイナ２２４とを含む。アクセス・ノード１２のスプリッター８２と同様に、スプリッター２２２は、１つの光ファイバー入力リード線と複数の、出力リード線２２６として作用する光ファイバー外出リード線とを有するカップラーであり得る。出力リード線２２６のうちの１つ以上は、各々、フィルター２３０に接続され得、該フィルターは光レシーバー２３２に接続され得る。各光レシーバー２３２は、コア・ネットワーク２０に結合されて、受信されたトラフィックをコア・ネットワーク２０に伝えることができる。特定の実施態様では、ハブ・ノード１４とコア・ネットワーク２０との間の接続は透明な光結線である（光−電気−光変換は不要である）。その様な実施態様では、レシーバー２３２を省略することができる。
【００４７】
コンバイナ２２４は、同様に、１つの光ファイバー外出リード線と入力リード線２２８として作用する複数の光ファイバー入力リード線とを有するカップラーを含むことができる。入力リード線２２８のうちの１つ以上は、各々、光トランスミッター２３４に接続され得る。光トランスミッター２３４のうちの１つ以上は、手操作可変光減衰器などの、トランスミッター２３４からの光出力パワーを調整するための１つ以上のコンポーネントを含むことができる。上記のように、特定の実施態様では、ハブ・ノード１４とコア・ネットワーク２０との間の接続は透明な光結線である（光−電気−光変換は不要である）。その様な実施態様では、トランスミッター２３４を省略することができる。
【００４８】
図示されている実施態様は４つの出力リード線２２６と４つの入力リード線２２８とを示しているが、以下で更に詳しく記載されるように、任意の数の出力リード線２２６と入力リード線２２８とを設け得ることが理解されるべきである。ハブ・ノード１４は反時計回り加えファイバー・セグメント２４２と、反時計回り落としファイバー・セグメント２４４と、時計回り加えファイバー・セグメント２４６と、時計回り落としファイバー・セグメント２４８とを更に含んでいて、これらはカップラー６０ａ及び６０ｂをスプリッター２２２及びコンバイナ２２４に接続する。
【００４９】
アクセス・ノード１２と同様に、ハブ・ノード１４は、図２を参照して上で記載されたように、ＯＳＣレシーバー１１２、ＯＳＣインターフェース１１４、ＯＳＣトランスミッター１１６、及びＥＭＳ１２４（これはＮＭＳ１２６に結合されている）を含む管理素子１１０を含む。ＥＭＳ１１０は、また図２を参照して記載されたように、ＯＳＣファイバー・セグメント１５０，１５２，１５４及び１５６を介してトランスポート素子２００に接続される。
【００５０】
動作時に、各トランスポート素子２００は、複数のチャネルを含む光信号を夫々のリング１６又は１８から受信する。ＯＳＣフィルター６６ａは上記のように該光信号からＯＳＣ信号をフィルタリングし、残りの光信号は増幅器６４ａに送られ、これは該信号を増幅してカップラー６０ａに送る。カップラー６０ａは、増幅器６４からの信号を２つのほぼ同一の信号、すなわち波長遮断ユニット２１４に送られるスルー信号と、関連するネットワーク相互接続素子２２０に送られる分岐信号と、に受動的に分割する。それらの分割された信号は、パワー・レベルが違うかもしれないが内容は実質的に同一であり得る。
【００５１】
波長遮断ユニット２１４のデマルチプレクサー２０６は、カップラー６０ａから光信号を受信し、その信号をその成分チャネルに多重分離する。スイッチ２１０は、各チャネルを選択的に終端させ又はマルチプレクサー２０４に送る。以下で記載されるように、保護方式を実行するためにチャネルを選択的に終端させ又は送ることができる。スイッチ２１０により送られるチャネルはマルチプレクサー２０４により受信され、これは受信したチャネルを１つのＷＤＭ光信号に多重化して該光信号をカップラー６０ｂに送る。
【００５２】
ネットワーク相互接続素子２２０のスプリッター２２２もカップラー６０ａから光信号を受信する。スプリッター２２２は、その落とされる信号を複数の概して同一の信号に分割する。これらの信号のうちの１つ以上は出力リード線２３６を介して光フィルター２３０に夫々送られる。各出力リード線２３６は、特定の波長（又は波長のグループ）だけが進むことを許す関連するフィルター２３０を有することができる。フィルター２３０は、別々のチャネル（フィルタリングされるチャネル）が関連するレシーバー２３２（もし存在するならば）に進むことを各フィルターが許すように、設けられ得る。その様な構成は、特定のネットワーク相互接続素子２２０と関連している各レシーバー２３２が別々の波長を受信することを可能にする。これは、選択された波長がレシーバー２３２に送られることを可能にし、また、適切な場合には、その様な各々のフィルタリングされた波長が別々に処理されることを可能にする。レシーバー２３２は、各々、光信号を受信し、その光信号を、コア・ネットワーク２０と関連付けられている適切なコンポーネント（トランスミッターなど）に伝達される電気信号に変換する。もしハブ・ノード１４とコア・ネットワーク２０との間に透明な光結線があるならば、このフィルタリングされた光信号は１つ以上のフィルター２３０からコア・ネットワーク２０に直接伝達され得る。
【００５３】
逆に、各トランスミッター２３４は、コア・ネットワーク２０の１つ以上のコンポーネントから電気信号の形のトラフィックを受信し、この電気信号を特定の波長の光信号に変換する。別々の波長のこれらの光信号の各々は、特定のネットワーク相互接続素子２２０のトランスミッター２３４から入力リード線２２８を介してそのネットワーク相互接続素子２２０のコンバイナ２２４に伝達される。或いは、もしハブ・ノード１４が透明な光結線を介してコア・ネットワーク２０に結合されているならば、いろいろな波長の光信号は、各々、入力リード線２２８を介してコンバイナ２２４に直接伝達され得る。コンバイナ２２４は、トランスミッター２３４からのいろいろな信号を結合させ、その結合された光信号を関連するトランスポート素子２００のカップラー６０ｂに送る。
【００５４】
カップラー６０ｂは、関連する波長遮断ユニット２１４からの光信号を関連するネットワーク相互接続素子２２０からの光信号と受動的に結合させる。その結合された信号はカップラー６０ｂから関連するポストアンプ６４ｂに送られ、ここでその結合された光信号は増幅される。その増幅された光信号はOSC抽出フィルター６６ｂに送られ、これは、関連するＯＳＣトランスミッター１１６からのＯＳＣ信号をその結合された光信号に加え、その新たな結合された信号を外出トランスポート信号としてネットワーク１０の関連するリング１６又は１８に送る。加えられるＯＳＣ信号は、局所的に作られたデータであり得、或いはＥＭＳ１２４により送られた受信されたＯＳＣデータであり得る。
【００５５】
図５は、本発明の他の実施態様に従うハブ・ノード１４の波長遮断ユニットの例を示すブロック図である。この実施態様では、図５の波長遮断ユニット２４０は図４の多重化／多重分離モジュール２１４の代わりに使用され得る。波長遮断ユニット２４０は、図４を参照して上に記載されたようにデマルチプレクサー２０６とマルチプレクサー２０４とを含む。複数のスイッチ２１０の代わりに、各々２×２スイッチ２４１と、可変光減衰器（ＶＯＡ）２４２と、光スプリッター２４３と、光検出器２４５と、コントローラ２４４とを含む複数の２×２スイッチ／減衰器セットがある。ＶＯＡ２４２は、信号を傍受するスプリッター２４３と、該信号のパワー・レベルを検出する光検出器２４５と、検出されたパワー・レベルに基づいてＶＯＡ２４４を制御するフィードバック・コントローラ２４４とを含むフィードバック・ループに基づいて該入来信号を指定されたパワー・レベルに減衰させる。この様に、該２×２スイッチを「クロス」位置にスイッチングすることによって該リングを特定のチャネルのために開くことができ、該２×２スイッチが「スルー」位置にあるときに「スルー」信号のパワー・レベルを調整することができる。また、上記のように、２×２スイッチ２４１の入力リード線及び出力リード線を介してトラフィックを該リングに加え且つ／又は該リングから落とすことができる。
【００５６】
図６は、本発明の他の実施態様に従うハブ・ノード１４の波長遮断ユニットの例を示すブロック図である。この実施態様では、該ユニットは光−電気−光（Ｏ−Ｅ−Ｏ）ユニットである。図６のユニット２４６は、図４の多重化／多重分離モジュール２１４の代わりに使用され得る。Ｏ−Ｅ−Ｏユニット２４６は、図４を参照して上に記載されたように、デマルチプレクサー２０６とマルチプレクサー２０４とを含む。複数のスイッチ２１０の代わりに、レシーバー２４７と、スイッチ２４８と、トランスミッター２４９とを各々含む複数のＯ−Ｅ−Ｏ素子がある。多重分離された信号はそのチャネルに対応するレシーバー２４７に送られ、ここで該光信号が電気信号に変換される。スイッチ２４８は、レシーバー２４７からの電気信号を選択的に通過させ又は終端させる。スイッチ２４８を介して通された信号はトランスミッター２４９に送られ、ここで該信号は光信号に変換される。複数のトランスミッター２４９からの光信号はマルチプレクサー２０４で多重化され、その多重化された信号は図４を参照して上に記載されたように送られる。この様に、Ｏ−Ｅ−Ｏユニット２４６は、ゲートウェイ１４を通過する信号の再生器として作用することができる。
【００５７】
図７は、本発明の一実施態様に従う、図１の光ネットワークの一構成例におけるネットワーク間トラフィック・ストリームの例を示すブロック図である。この図及び次に続く図を参照しやすくするために、アクセス・ノード１２及びハブ・ノード１４の高レベルの詳細のみが示されている。この実施例では、第１トラフィック・ストリーム３００はリング１６でアクセス・ノード１２ｂからコア・ネットワーク２０に（ハブ・ノード１４を介して）伝達される時計回りストリームである。第２トラフィック・ストリーム３０２はリング１８でコア・ネットワーク２０からアクセス・ノード１２ｂに（ハブ・ノード１４を介して）伝達される反時計回りストリームである。従って、トラフィック・ストリーム３００及び３０２は、アクセス・ノード１２ｂとコア・ネットワーク２０との間の二方向ネットワーク間通信を表す。図示されてはいないけれども、１つ以上の他のトラフィック・ストリームがアクセス・ノード１２とコア・ネットワーク２０との間で伝達され得ることが理解されるべきである。
【００５８】
トラフィック・ストリーム３００は、リング１６と関連付けられたトランスミッター１０４を用いてアクセス・ノード１２ｂにおいて第１波長λ１で作られる。ストリーム３００は、リング１６と関連付けられているアクセス・ノード１２ｂのカップラー６０を介してリング１６上の現存する光信号に加えられる。ストリーム３００だけがリング１６上に示されているが、他の波長の他のトラフィック・ストリームがリング１６の周りを進んでいても良いことが理解されるべきである。アクセス・ノード１２ｂから出た後、ストリーム３００はリング１６を介してアクセス・ノード１２ａに進む。トラフィック・ストリーム３００は、アクセス・ノード１２ａに宛てられていないので、アクセス・ノード１２ａにより落とされるようには示されていない。しかし、アクセス・ノード１２ａのカップラー６０がストリーム３００を（リング１６上の残りのトラフィックと共に）送り且つストリーム３００を（他のトラフィックと共に）落とすことが理解されるべきである。リング１６関連の分散／結合素子８０フィルター１００は、上記のようにストリーム３００がノード１２ａに宛てられていないのでλ１をフィルタリングして除くように構成されている。
【００５９】
ストリーム３００の送られたコピーはリング１６の周りをハブ・ノード１４まで伝えられる。ハブ・ノード１４のカップラー６０ａはリング１６上のアクセス・ノード１２ａから来る（ストリーム３００を含む）トラフィックを落とし且つ送る。カップラー６０ａから落とされたトラフィックに含まれているトラフィック・ストリーム３００は、ハブ・ノード１４のネットワーク相互接続素子２２０と関連付けられているフィルター２３０のうちの１つにより通過させられる（該フィルターは、λ１を送るように構成されている）。その後、落とされたストリーム３００は、レシーバー２３２により受信されてから電気信号としてコア・ネットワーク２０に送られるか、或いはフィルター２３０を通過した後に光信号としてコア・ネットワーク２０に直接送られる。
【００６０】
ハブ・ノード１４のカップラー６０ａから送られたトラフィックは、ハブ・ノード１４のデマルチプレクサー２０６によって、λ１のストリーム３００を含む成分波長に多重分離される。多重分離されたストリーム３００はデマルチプレクサー２０６からこれに関連するスイッチ２１０に送られる。スイッチ２１０は、図示されている実施態様ではストリーム３００を終端させるように構成されている。ストリーム３００のトラフィックはコア・ネットワーク２０に宛てられていて、これにこのトラフィックが既に送られているので、その様な終端は適切である。これは、ストリーム３００がリング１６の周りを進んでアクセス・ノード１２ｂに到達して、ストリーム３００が当該ノードから同じ波長で生じるトラフィックに干渉することを防止する。
【００６１】
トラフィック・ストリーム３０２は、リング１８と関連するトランスミッター２３４を用いてハブ・ノード１４において第２波長λ２で作られる（或いは、トラフィック・ストリーム３０２は、トランスミッター２３４を必要とせずにコア・ネットワーク２０から光信号として受信され得る）。λ２の使用は、単なる例として、区別を目的として使用される。ストリーム３０２の波長はストリーム３００の波長と同じであっても違っていても良い。更に、ストリーム３００及び３０２を伝送するために他の任意の適切な波長を使用することができる。ストリーム３０２は、リング１８と関連するハブ・ノード１４のカップラー６０ｂを介してリング１８上に現存する光信号に加えられる。ストリーム３０２だけがリング１８上に示されているが、他の波長の他のトラフィック・ストリームもリング１８を回って進むことができることが理解されるべきである。ハブ・ノード１４のカップラー６０ｂによってリング１８に加えられた後、ストリーム３０２はリング１８を介してアクセス・ノード１２ａに進む。
【００６２】
トラフィック・ストリーム３０２は、アクセス・ノード１２ａに宛てられてはいないので、該ノ−ドによって落とされるように示されてはいない。しかし、アクセス・ノード１２ａのカップラー６０がストリーム３０２を送り（リング１８上の残りのトラフィックと共に）且つストリーム３０２を落とす（他のトラフィックと共に）ことが理解されるべきである。リング１８と関連する分散／結合素子８０のフィルター１００は、ストリーム３０２がノード１２ａに宛てられていないので、上記のようにλ２をフィルタリングして除くように構成されている。
【００６３】
ストリーム３０２の送られるコピーはアクセス・ノード１２ａからリング１８を回ってアクセス・ノード１２ｂに伝達される。アクセス・ノード１２ｂのカップラー６０は、アクセス・ノード１２ａから来たリング１８上のトラフィック（ストリーム３０２を含む）を落とし且つ該トラフィックをリング１８で転送する。カップラー６０から落とされたトラフィックに含まれているトラフィック・ストリーム３０２は、アクセス・ノード１２ｂの分散／結合素子８０と関連する複数のフィルター１００のうちの１つにより通過させられる（該フィルターはλ２を送るように構成されている）。落とされたストリーム３０２は、フィルター１００と関連するレシーバー１０２により受信されてからノード１２ｂの１つ以上のクライアントに送られる。
【００６４】
アクセス・ノード１２ｂのカップラー６０から送られたストリーム３０２を含むトラフィックは、アクセス・ノード１２ｃ及び１２ｄを通過してハブ・ノード１４に進む。トラフィック・ストリーム３０２は、アクセス・ノード１２ｃ及び１２ｄに宛てられてはいないので、これらのノード１２ｃ及び１２ｄによって落とされるように示されてはいない。しかし、これらのアクセス・ノードの各々のカップラー６０がストリーム３０２を送り（リング１８上の残りのトラフィックと共に）且つストリーム３０２を落とす（他のトラフィックと共に）ことが理解されるべきである。これらのアクセス・ノードの各々と関連するフィルター１００は、ストリーム３０２がこれらのノードに宛てられていないので、上記のようにλ２をフィルタリングして除く。
【００６５】
ハブ・ノード１４に到着すると、ハブ・ノード１４のカップラー６０ａは、アクセス・ノード１２ｄから来たリング１８上のトラフィック（ストリーム３０２を含む）を落とし且つ送る。カップラー６０ａにより落とされたトラフィックは、リング１８と関連するネットワーク相互接続素子２２０に送られる。ネットワーク相互接続素子２２０のフィルター２３０は、λ２を遮断し、従ってストリーム３０２がコア・ネットワーク２０に送られるのを阻止するように構成されている（なぜならば、それはその宛先であるノード１２ｂに到達していて、コア・ネットワーク２０において他のトラフィックに干渉しないから）。
【００６６】
ハブ・ノード１４のカップラー６０ａから送られたトラフィックは、ハブ・ノード１４のデマルチプレクサー２０６によって、λ２のストリーム３０２を含む成分波長に多重分離される。多重分離されたストリーム３０２は、デマルチプレクサー２０６から、これに関連するスイッチ２１０に送られる。該スイッチ２１０は、図示されている実施態様では、ストリーム３０２を終端させるように構成されている。ストリーム３０２のトラフィックはアクセス・ノード１２ｂに宛てられていて、既にこれに到達しているので、この様な終端は適切である。これは、ストリーム３０２がハブ・ノード１４のカップラー６０ａに到達して、そこでコア・ネットワーク２０から生じた同じ波長のトラフィックに干渉するのを阻止する。
【００６７】
この様に、コア・ネットワーク２０から（ハブ・ノード１４を介して）アクセス・ノード１２の各々にトラフィックを伝達することができ、アクセス・ノード１２の各々から（また、ハブ・ノード１４を介して）コア・ネットワーク２０にトラフィックを伝達することができる。また、トラフィック・ストリームが２つだけ示されているけれども、トラフィックは各アクセス・ノード１２とコア・ネットワーク２０との間でリング１６又は１８を介して伝達され得る。これらのトラフィック・ストリームの全てに関して、ハブ・ノード１４の波長遮断ユニット２１４は、全ての波長を遮断し、従ってどのトラフィックもハブ・ノード１４を通過してリング１６又は１８を回ることのないように阻止するように構成され得る。これは、ネットワークにおけるトラフィックの再循環を阻止する。しかし、もしリング１６及び１８の一方又は両方においてストリーム３００及び３０２（又はネットワーク内の他の何らかのトラフィック）を中断する故障が発生したならば、該トラフィックの内容が依然として宛先により受信されることを保証する技術が必要である。その様な技術が以下で記載される。
【００６８】
図８は、本発明の一実施態様に従う、図７のネットワークにおけるトラフィック・ストリームの保護スイッチング及び光路保護を示すブロック図である。図示されている例では、ライン切断３０８は、図７に示されているトラフィック・ストリーム３００及び３０２がそれらの宛先ノードに到達するのを妨げる。この問題は、１つ以上のノード又はネットワーク内の他の装置によって発見されてＮＭＳ１２６に報告されうる。ＮＭＳ１２６は、この実施態様の保護スイッチング・プロトコルに従って、ストリーム３００の内容をリング１６上のトラフィック・ストリーム３００（これはライン切断３０８によって遮断されている）の代わりに又は該ストリームに加えてストリーム３０４としてリング１８を介して伝送し始めるようにアクセス・ノード１２ｂに指令することができる。同様に、ＮＭＳ１２６は、ストリーム３０２の内容をリング１８上のトラフィック・ストリーム３０２（これも、ライン切断３０８によって遮断されている）の代わりに又は該ストリームに加えてリング１６を介してストリーム３０６として伝送し始めるようにハブ・ノード１４に指令することができる。従って、ストリーム３００及び３０２が中断された場合にはトラフィック・ストリーム３０４及び３０６がアクセス・ノード１２ｂ及びコア・ネットワーク２０の間での双方向通信を提供し続ける。図示されてはいないけれども、アクセス・ノード１２とコア・ネットワーク２０との間で１つ以上の他のトラフィック・ストリームが伝達され得ることが理解されるべきである。
【００６９】
トラフィック・ストリーム３０４は、リング１８と関連するトランスミッター１０４を用いてアクセス・ノード１２ｂにおいて第１波長λ１で作られる（ストリーム３０４は必ずしもストリーム３００と同じ波長で伝送されなくても良いけれども）。ストリーム３０４は、リング１８と関連しているアクセス・ノード１２ｂのカップラー６０を介してリング１８上の現存する光信号に加えられる。ストリーム３０４だけがリング１８上に示されているが、他の波長の他のトラフィック・ストリームもリング１８を回って進んでいることが理解されるべきである。
【００７０】
ストリーム３０４を含む、アクセス・ノード１２ｂのカップラー６０から送られたトラフィックは、アクセス・ノード１２ｃ及び１２ｄを通ってハブ・ノード１４に進む。トラフィック・ストリーム３０４は、アクセス・ノード１２ｃ及び１２ｄに宛てられていないので、これらのノードによって落とされるように示されてはいない。しかし、これらのアクセス・ノードの各々のカップラー６０がストリーム３０４を（リング１８上の残りのトラフィックと共に）送り且つストリーム３０４を（他のトラフィックと共に）落とすということが理解されるべきである。これらのアクセス・ノードの各々と関連しているフィルター１００は、ストリーム３０４がこれらのノードに宛てられていないので、上記のようにλ１をフィルタリングして除く。
【００７１】
ストリーム３０４の送られるコピーは、アクセス・ノード１２ｄからリング１８を回ってハブ・ノード１４に伝達される。ハブ・ノード１４のカップラー６０ａは、（ストリーム３０４を含む）アクセス・ノード１２ｄから来るリング１８上のトラフィックを落とし且つ送る。カップラー６０ａから落とされたトラフィックに含まれるトラフィック・ストリーム３０４は、ハブ・ノード１４のネットワーク相互接続素子２２０と関連するフィルター２３０のうちの１つにより通過させられる（該フィルターはλ１を送るように構成されている）。落とされたストリーム３０４は、レシーバー２３２により受信されてからコア・ネットワークに電気信号として送られるか、或いはフィルター２３０を通過した後に光信号としてコア・ネットワーク２０に直接送られる。
【００７２】
ハブ・ノード１４のカップラー６０ａから送られたトラフィックは、ハブ・ノード１４のデマルチプレクサー２０６によって、λ１のストリーム３０４を含む成分波長に多重分離される。多重分離されたストリーム３０４は、デマルチプレクサー２０６から関連するスイッチ２１０に送られる。スイッチ２１０は、図示されている実施態様では、ストリーム３０４を終端させるように構成されている。ストリーム３０４のトラフィックはコア・ネットワーク２０に宛てられていて、これにこのトラフィックは既に送られているので、この様な終端は適切である。これは、ストリーム３０４がリング１８を回って進んでアクセス・ノード１２ｂに到達して、このノードから同じ波長で生じたトラフィックに干渉するのを妨げる。
【００７３】
トラフィック・ストリーム３０６は、リング１６と関連するトランスミッター２３４を用いてハブ・ノード１４において第２波長λ２で作られる（或いは、トラフィック・ストリーム３０６は、トランスミッター２３４を必要とせずにコア・ネットワーク２０から光信号として受信されても良い）。λ２の使用は、単なる例として、区別を目的として使用される。ストリーム３０４及び３０６を伝送するために他の任意の適切な波長を使用することができる。ストリーム３０６は、リング１６と関連するハブ・ノード１４のカップラー６０ｂを介してリング１６上の現存する光信号に加えられる。ストリーム３０６だけがリング１６上に示されているが、他の波長の他のトラフィック・ストリームもリング１６を回って進んでいることが理解されるべきである。
【００７４】
ストリーム３０６を含む、リング１６上のハブ・ノード１４のカップラー６０ｂから送られたトラフィックは、アクセス・ノード１２ｃ及び１２ｄを通ってアクセス・ノード１２ｂに進む。トラフィック・ストリーム３０６は、アクセス・ノード１２ｃ及び１２ｄに宛てられていないので、これらのノードによって落とされるように示されてはいない。しかし、これらのアクセス・ノードの各々のカップラー６０は、ストリーム３０６を（リング１６上の残りのトラフィックと共に）送り且つストリーム３０６を（他のトラフィックと共に）落とすということが理解されるべきである。これらのアクセス・ノードの各々と関連しているフィルター１００は、上記のように、ストリーム３０６がこれらのノードに宛てられていないので、λ２をフィルタリングして除く。
【００７５】
ストリーム３０６の送られるコピーは、リング１６上のアクセス・ノード１２ｃからアクセス・ノード１２ｂに伝達される。アクセス・ノード１２ｂのカップラー６０は、（ストリーム３０６を含む）アクセス・ノード１２ｃから来るリング１６上のトラフィックを落とし且つ送る。カップラー６０から落とされたトラフィックに含まれているトラフィック・ストリーム３０６は、アクセス・ノード１２ｂの分散／結合素子８０と関連しているフィルター１００のうちの１つにより通過させられる（該フィルターはλ２を送るように構成されている）。落とされたストリーム３０６は、フィルター１００と関連するレシーバー１０２によって受信されてからノード１２ｂの１つ以上のクライアントに送られる。
【００７６】
ストリーム３０６を含む、アクセス・ノード１２ｂのカップラー６０から送られたトラフィックは、ライン切断３０８によって中断され、従ってアクセス・ノード１２ａに到達しない。しかし、リング１６と関連するハブ・ノード１４の波長遮断ユニット２１４においてλ２と関連付けられているスイッチ２１０は、（リング１８と関連する波長遮断ユニットと同様に）λ２のトラフィックを遮断するように構成されているので、ライン切断３０８が修理されるとストリーム３０６はハブ・ノード１４を通ってリング１６を回ってノード１２ｂまで再循環しない。ライン切断３０８が修理されると、ストリーム３００及び３０２を再確立することができ（もしこれらが終端させられていたならば）、ストリーム３０４及び３０６を終端させることができる。この様にして、リング１６又は１８に切れ目又は他のエラーがあってもストリーム３００及び３０２の内容がその宛先に到達し得るようにハブ・ノード１４及びアクセス・ノード１２を構成することによって、ストリーム３００及び３０２のための保護を提供することができる。
【００７７】
図９は、本発明の一実施態様に従う、図１の光ネットワークの構成の例におけるネットワーク内トラフィック・ストリーム例を示すブロック図である。この実施例では、トラフィック・ストリーム３１０は、リング１６でアクセス・ノード１２ｂからアクセス・ノード１２ａに伝達される時計回りストリームである。従ってこれはネットワーク内（アクセス・ノードからアクセス・ノードへの）トラフィック・ストリームである。図示されてはいないが、複数のアクセス・ノード１２間で１つ以上の他のトラフィック・ストリームが伝達され得ることが理解されるべきである。
【００７８】
トラフィック・ストリーム３１０は、リング１６と関連するトランスミッター１０４を用いてアクセス・ノード１２ｂにおいて第１波長λ１で作られる（ストリーム３１０は他の任意の波長で伝送され得るけれども）。ストリーム３１０は、リング１６と関連するアクセス・ノード１２ｂのカップラー６０を介してリング１６上の現存する光信号に加えられてアクセス・ノード１２ａに送られる。アクセス・ノード１２ａのカップラー６０は、（ストリーム３１０を含む）アクセス・ノード１２ｂから来たリング１６上のトラフィックを落とし且つ送る。カップラー６０から落とされたトラフィックに含まれているトラフィック・ストリーム３１０は、アクセス・ノード１２ａの分散／結合素子８０と関連するフィルター１００のうちの１つによって通過させられる（そのフィルターはλ１を送るように構成されている）。落とされたストリーム３１０は、フィルター１００と関連するレシーバー１０２によって受信されてノード１２ａの１つ以上のクライアントに送られる。
【００７９】
ストリーム３１０の送られるコピーは、アクセス・ノード１２ａのカップラー６０からリング１６を回ってハブ・ノード１４に伝達される。ハブ・ノード１４のカップラー６０ａは、アクセス・ノード１２ａから来た（ストリーム３１０を含む）リング１６上のトラフィックを落とし且つ送る。カップラー６０ａにより落とされたトラフィックは、リング１６と関連するネットワーク相互接続素子２２０に送られる。ネットワーク相互接続素子２２０のフィルター２３０は、λ１を遮断し、従ってストリーム３１０がコア・ネットワーク２０に送られるのを妨げる（これはその宛先であるノード１２ａに到達しているので、コア・ネットワーク２０において他のトラフィックに干渉しない）。
【００８０】
ハブ・ノード１４のカップラー６０ａから送られたトラフィックはハブ・ノード１４のデマルチプレクサー２０６によってλ１のストリーム３１０を含む成分波長に多重分離される。多重分離されたストリーム３１０はデマルチプレクサー２０６から関連するスイッチ２１０に送られる。スイッチ２１０は、図示されている実施態様ではストリーム３１０を終端させるように構成されている。ストリーム３１０のトラフィックはアクセス・ノード１２ａに宛てられていて、既にこのノードに到達しているので、その様な終端は適切である。これは、ストリーム３１０がハブ・ノード１４を通過してリング１６を回り続けてアクセス・ノード１２ｂに到達して、アクセス・ノード１２ｂから生じる同じ波長のトラフィックに干渉するのを防止する。
【００８１】
この様に、２つのアクセス・ノード１２間でネットワーク内トラフィックが伝達され得る。また、トラフィック・ストリームが１つだけ図示されているが、任意の２つのアクセス・ノード１２間で１つ以上のトラフィック・ストリームが伝達され得る。これらのトラフィック・ストリームの全てに関して、ハブ・ノード１４の波長遮断ユニット２１４は、全ての波長を遮断し、従ってどの様なトラフィックがハブ・ノード１４を通ってリング１６又は１８を回ることも阻止する。これは、ネットワークにおけるトラフィックの再循環を阻止する。その様な実施態様では、複数のアクセス・ノード１２間のトラフィックは、ハブ・ノード１４を通さずにトラフィックを伝達することを可能にするリング１６又は１８で伝達されるべきである。しかし、もしストリーム３１０（又はネットワークの他の何らかのトラフィック）を中断する故障がリング１６及び１８の一方又は両方に発生したならば、該トラフィックの内容が依然として宛先により受信されることを保証する様にこのトラフィックを保護する技術が必要となる。その様な技術が以下で記載される。
【００８２】
図１０は、本発明の一実施態様に従う、図９のネットワークにおけるトラフィック・ストリームの保護スイッチング及び光路保護を示すブロック図である。図示されている例では、図９に示されているトラフィック・ストリーム３１０がその宛先ノードに到達するのをライン切断３１４が阻止する。この問題は、１つ以上のノード又はネットワークの他の装置によって発見されてＮＭＳ１２６に報告され得る。ＮＭＳ１２６は、この実施態様の保護スイッチング・プロトコルに従って、リング１６上のトラフィック・ストリーム３１０（これはライン切断３１４により遮断される）の代わりに又はこのトラフィック・ストリーム３１０に加えてストリーム３１０の内容をリング１８を介してストリーム３１２として伝送し始めるようにアクセス・ノード１２ｂに指令することができる。図示されている実施態様では、アクセス・ノード１２ｂは、ストリーム３１２を伝送している間にストリーム３１０を送り続ける。図示されていないが、１つ以上の他のトラフィック・ストリームが複数のアクセス・ノード１２間で伝達され得ることが理解されるべきである。
【００８３】
トラフィック・ストリーム３１２は、リング１８と関連するトランスミッター１０４を用いてアクセス・ノード１２ｂにおいて第１波長λ１で作られる（ストリーム３１２は必ずしもストリーム３１０と同じ波長で伝送されなくても良いけれども）。ストリーム３１２は、リング１８と関連しているアクセス・ノード１２ｂのカップラー６０を介してリング１８上に現存する光信号に加えられる。ストリーム３１２だけがリング１８上に示されているが、他の波長の他のトラフィック・ストリームがリング１８を回って進んでいることが理解されるべきである。
【００８４】
ストリーム３１２を含む、アクセス・ノード１２ｂのカップラー６０から送られたトラフィックは、アクセス・ノード１２ｃ及び１２ｄを通ってハブ・ノード１４に進む。トラフィック・ストリーム３１２は、アクセス・ノード１２ｃ及び１２ｄに宛てられてはいないので、これらのノードに落とされるように示されてはいない。しかし、これらのアクセス・ノードの各々のカップラー６０がストリーム３１２を（リング１８上の残りのトラフィックと共に）送り且つストリーム３１２を（他のトラフィックと共に）落とすことが理解されるべきである。これらのアクセス・ノードの各々と関連するフィルター１００は、ストリーム３１２がこれらのノードに宛てられていないので、上記のようにλ１をフィルタリングして除く。
【００８５】
ストリーム３１２の送られるコピーは、アクセス・ノード１２ｄからリング１８を回ってハブ・ノード１４に伝達される。ハブ・ノード１４のカップラー６０ａは、アクセス・ノード１２ｄから来た（ストリーム３１２を含む）リング１８上のトラフィックを落とし且つ送る。カップラー６０ａにより落とされたトラフィックは、リング１８と関連するネットワーク相互接続素子２２０に送られる。ネットワーク相互接続素子２２０のフィルター２３０は、λ１を遮断し、従ってストリーム３１２がコア・ネットワーク２０に送られるのを妨げるように構成されている（それがコア・ネットワーク２０において他のトラフィックに干渉しないように）。
【００８６】
ハブ・ノード１４のカップラー６０ａから送られたトラフィックは、ハブ・ノード１４のデマルチプレクサー２０６によって、λ１のストリーム３１２を含む成分波長に多重分離される。多重分離されたストリーム３１２は、デマルチプレクサー２０６から関連するスイッチ２１０に送られる。スイッチ２１０は、図示されている実施態様では、ストリーム３１２を送るように構成されている。ストリーム３１２のトラフィックはアクセス・ノード１２ａに宛てられていて、これにこのトラフィックはまだ到達していないので、この送りは適切である。ストリーム３１２は、マルチプレクサー２０４によって、関連する波長遮断ユニット２１４を通過する他の全てのストリームと結合され、その結合された信号はアクセス・ノード１２ａに送られる。
【００８７】
アクセス・ノード１２ａのカップラー６０は、ハブ・ノード１４から来た（ストリーム３１２を含む）リング１８上のトラフィックを落とし且つ送る。カップラー６０から落とされたトラフィックに含まれているトラフィック・ストリーム３１２は、アクセス・ノード１２ａの分散／結合素子８０と関連するフィルター１００のうちの１つによって通過させられる（該フィルターはλ１を送るように構成されている）。落とされたストリーム３１２は、その後、フィルター１００と関連するレシーバー１０２により受信されてからノード１２ａの１つ以上のクライアントに送られる。
【００８８】
ストリーム３１２を含む、アクセス・ノード１２ａのカップラー６０から送られたトラフィックは、ライン切断３１４に達するまでリング１８上を進み、ここで遮断される。しかし、ライン切断３４が修理されると、リング１８と関連するノード１２ｂのスイッチ６２も、ストリーム３１２がアクセス・ノード１２ｂのカップラー６０に到達し、そこで同じ波長でそのノードから生じるトラフィックに干渉するのを妨げるように、開かれる。同様に、リング１６と関連するノード１２ａのスイッチ６２も、ライン切断３１４が修理されると、ストリーム３１０の再循環を阻止するように開かれる。ノード１２ａのこのスイッチ６２のこの様な構成は、リング１６上のλ１と関連するハブ・ノード１４の波長遮断ユニット２１４のスイッチ２１０がλ１を通過させるように構成されている実施態様において必要とされる。この様な構成は（上記のように）リング１８と関連する波長遮断ユニット２１４の対応するスイッチ２１０の構成であり、従ってこれらのユニット２１４を別様に構成する必要をなくするので、この様な構成は有益であり得る。しかし、或る実施態様では、リング１６と関連する波長遮断ユニット２１４のスイッチ２１０をλ１を終端させるように構成することができ、従ってアクセス・ノード１２ａのスイッチ６２を開く必要をなくすることができる。
ライン切断３１４が修理されると、図９に関して上で記載されたようにアクセス・ノード１２ａ及び１２ｂのスイッチ６２を閉じることができ、λ１を遮断し従ってストリーム３１０を遮断するようにリング１６及び１８と関連する波長遮断ユニット２１４のスイッチ２１０を構成することができる。従って、アクセス・ノード１２ｂからアクセス・ノード１２ａへの通信をストリーム３１０を介して再確立することができ、ストリーム３１２を終端させることができる。この様にして、ストリーム３１０についての保護を、ハブ・ノード１４とアクセス・ノード１２との該構成を通して、たとえリング１６又は１８に切れ目或いは他のエラーがあってもこのストリームの内容がその宛先に到達し得るように、提供することができる。
【００８９】
（付記１）
光アクセス・ネットワークであって：
該光アクセス・ネットワークは、光信号を第１方向に伝達するように作用し得る第１リングと、光信号を第２の、反対の方向に伝達するように作用し得る第２リングとを含んでおり；
該光アクセス・ネットワークは、各リングに結合されてトラフィックを１つ以上の波長で受動的に各リングに加え、また受動的に各リングから落とすように作用し得る１つ以上のアクセス・ノードを含んでおり、そのうちの少なくとも第１アクセス・ノードは該第１リングで伝達された第１光信号の少なくとも第１波長のトラフィックを加えるように作用することができ；
該光アクセス・ネットワークは、各リングに結合され、また光コア・ネットワークにも結合されたハブ・ノードを含み：
該ハブ・ノードは該第１リング上の該第１光信号を受信するように作用することができ；
該ハブ・ノードは、該第１光信号の各波長のトラフィックを選択的に送り又は終端させるように作用し得る該第１リングと関連した該ハブ・ノードの第１波長遮断ユニットに該第１光信号の第１コピーを送るように作用することができ、ここで該第１波長の該トラフィックが終端させられ；
該ハブ・ノードは、該第１光信号の各波長のトラフィックを選択的に該コア・ネットワークに送り又は終端させるように作用し得る該第１リングと関連する該ハブ・ノードの第１ネットワーク相互接続素子に該第１光信号の第２コピーを送るように作用することができ、ここで該第１波長のトラフィックが該コア・ネットワークに送られ；
該第１リングでの該第１波長のトラフィックの中断が検出されると、該第１アクセス・ノードは該第２リングで伝達される第２光信号の第２波長のトラフィックを加えるように作用することができ；
該中断が検出されると：
該ハブ・ノードは該第２リング上の該第２光信号を受信するように作用することができ；
該ハブ・ノードは該第２光信号の第１コピーを該第２リングと関連する該ハブ・ノードの第２波長遮断ユニットに送るように作用することができ、ここで該第２波長の該トラフィックが終端させられ；
該ハブ・ノードは該第２光信号の第２コピーを該第２リングと関連する該ハブ・ノードの第２ネットワーク相互接続素子に送るように作用することができる、光アクセス・ネットワーク。
【００９０】
（付記２）
該第１波長は該第２波長と同じ波長である、付記１の光ネットワーク。
【００９１】
（付記３）
該第１波長は該第２波長とは異なる波長である、付記１の光ネットワーク。
【００９２】
（付記４）
各アクセス・ノードは、該トラフィックのチャネル間隔とは無関係にトラフィックを加え、また落とすように作用することができる、付記１の光ネットワーク。
【００９３】
（付記５）
各アクセス・ノードは受動的にトラフィックを加え且つ落とすように作用し得る単一の光カップラーを含む、付記１の光ネットワーク。
【００９４】
（付記６）
各アクセス・ノードは、トラフィックを受動的に加えるように作用し得る第１光カップラーと、トラフィックを受動的に落とすように作用し得る第２光カップラーとを含む、付記１の光ネットワーク。
【００９５】
（付記７）
該ハブ・ノードは各リングと関連する第１光カップラーを含んでおり、この第１光カップラーは、該リング上の光信号を受信し、該光信号の第１コピーを関連する波長遮断ユニットに送り、該光信号の第２コピーを関連するネットワーク相互接続素子に送るように作用することができ；
該ハブ・ノードは各リングと関連する第２光カップラーを含んでおり、この第２光カップラーは、該コア・ネットワークから光信号を受信して該光信号を関連するリングに加えるように作用することができる、付記１の光ネットワーク。
【００９６】
（付記８）
該ハブ・ノードの各ネットワーク相互接続素子は：
関連する第１光カップラーから該光信号の該第２コピーを受信して該受信された該光信号の該第２コピーの複数のコピーを作るように作用し得るスプリッターと；
該第２コピーの該複数のコピーのうちの１つを受信して、関連するコピーの１つ以上の波長のトラフィックを該コア・ネットワークに伝達させるべく送るように各々作用し得る１つ以上のフィルターとを含む、付記７の光ネットワーク。
【００９７】
（付記９）
該ハブ・ノードの各波長遮断ユニットは：
関連する第１光カップラーから該光信号の該第１コピーを受信し、それを複数の成分波長に多重分離するように作用し得るデマルチプレクサーと；
該デマルチプレクサーから関連する波長のトラフィックを受信して該トラフィックを選択的に送り又は終端させるように各々作用し得る複数のスイッチと；
該送られた複数の波長のトラフィックを結合させ、その結合されたトラフィックを該第２光カップラーに伝達するように作用し得るマルチプレクサーとを含む、付記７の光ネットワーク。
【００９８】
（付記１０）
反対の方向に光信号を伝える第１リングと第２リングとを有する光アクセス・ネットワークにおいてトラフィックを保護する方法であって、該ネットワークは、各リングに結合されて１つ以上の波長で各リングにトラフィックを受動的に加え、また１つ以上の波長でトラフィックを各リングから受動的に落とすように作用し得る複数のアクセス・ノードを含み、該ネットワークは、各リングに結合され且つ光コア・ネットワークに結合されているハブ・ノードを更に含んでおり：
該方法は、第１アクセス・ノードにおいて、該第１リングで伝達される第１光信号の少なくとも第１波長のトラフィックを加えるステップを含み；
該方法は、該ハブ・ノードにおいて、該第１リング上の該第１光信号を受信するステップを含み；
該方法は、該ハブ・ノードにおいて、該第１光信号の各波長の該トラフィックを選択的に送り又は終端させるように作用し得る該第１リングと関連する該ハブ・ノードの第１波長遮断ユニットに該第１光信号の第１コピーを送るステップを含み、ここで該第１波長の該トラフィックは終端させられ；
該方法は、該ハブ・ノードにおいて、該第１光信号の各波長の該トラフィックを選択的に該コア・ネットワークに送り又は終端させるように作用し得る該第１リングに関連する該ハブ・ノードの第１ネットワーク相互接続素子に該第１光信号の第２コピーを送るステップを含み、ここで該第１波長の該トラフィックは該コア・ネットワークに送られ；
該方法は、該第１リング上で該第１波長の該トラフィックの中断が検出されたとき、該第１アクセス・ノードにおいて該第２リングで伝達される第２光信号の第２波長のトラフィックを加えるステップを含み；
該方法は、該中断が検出されたとき、該ハブ・ノードにおいて、該第２リング上の該第２光信号を受信するステップを含み；
該方法は、該中断が検出されたとき、該ハブ・ノードにおいて、該第２リングに関連する該ハブ・ノードの第２波長遮断ユニットに該第２光信号の第１コピーを送るステップを含み、ここで該第２波長の該トラフィックは終端させられ；
該方法は、該中断が検出されたとき、該ハブ・ノードにおいて、該第２リングに関連する該ハブ・ノードの第２ネットワーク相互接続素子に該第２光信号の第２コピーを送るステップを含み、ここで該第２波長の該トラフィックは該コア・ネットワークに送られ、これにより該中断があっても該トラフィックを保護する、方法。
【００９９】
（付記１１）
該第１波長は該第２波長と同じ波長である、付記１０の方法。
【０１００】
（付記１２）
該第１波長は該第２波長とは異なる波長である、付記１０の方法。
【０１０１】
（付記１３）
各アクセス・ノードは、該トラフィックのチャネル間隔とは無関係にトラフィックを加え、また落とすように作用することができる、付記１０の方法。
【０１０２】
（付記１４）
該ハブ・ノードにおいて光信号の第１コピー及び第２コピーを送るステップは：
該光信号が伝達されるところのリングに関連する第１光カップラーにおいて該光信号を受信するステップと；
該光信号の第１コピーを該第１光カップラーから関連する波長遮断ユニットに送るステップと；
該光信号の第２コピーを該第１光カップラーから関連するネットワーク相互接続素子に送るステップとを含む、付記１０の方法。
【０１０３】
（付記１５）
該リングのうちの一方に関連する第２光カップラーにおいて該コア・ネットワークから光信号を受信し、該第２光カップラーを用いて該光信号を関連するリングに加えるステップを更に含む、付記１４の方法。
【０１０４】
（付記１６）
該ハブ・ノードの各波長遮断ユニットにおいて各波長の該トラフィックを選択的に送り又は終端させるステップは：
デマルチプレクサーにおいて、該関連する第１光カップラーから受信された該光信号の該第１コピーを複数の成分波長に多重分離し；
複数のスイッチの各々において、該デマルチプレクサーから受信された関連する波長のトラフィックを選択的に送り又は終端させ；
マルチプレクサーにおいて、該送られた複数の波長の該トラフィックを結合させ、その結合されたトラフィックを該第２光カップラーに伝達するステップを含む、付記１５の方法。
【０１０５】
（付記１７）
該ハブ・ノードの各ネットワーク相互接続素子において各波長のトラフィックを選択的に該コア・ネットワークに送り又は終端させるステップは：
スプリッターにおいて、該関連する第１光カップラーから受信された該光信号の該第２コピーの複数のコピーを作り；
１つ以上のフィルターにおいて、該第２コピーの該複数のコピーのうちの１つを受信し、該関連するコピーの１つ以上の波長の該トラフィックを該コア・ネットワークに伝達させるべく送るステップを含む、付記１４の方法。
【０１０６】
（付記１８）
第１光信号を第１方向に伝送する第１リングと、
第2光信号を該第１方向とは反対の第２方向に伝送する第２リングと、
該第１リング上の該第１光信号を通過または遮断する第１選択手段と、該第１選択手段からの該第１光信号を加入者に分岐し加入者からの信号を該第１リングに挿入する第１分岐／挿入手段と、該第２リング上の該第２光信号を通過または遮断する第２選択手段と、該第２選択手段からの該第２光信号を加入者に分岐し加入者からの信号を該第２リングに挿入する第２分岐／挿入手段とを有するアクセスノードと、
該第１リング上の該第１光信号を光コア・ネットワークに分岐する第１分岐手段と、該光コア・ネットワークからの信号を該第１リングに挿入するための第１挿入手段と、該第１分岐手段と該第1挿入手段の間に該第１光信号のトラフィックを選択的に送り又は終端させる第１波長遮断ユニットと、該第2リング上の該第2光信号を分岐する第２分岐手段と、該光コア・ネットワークからの信号を該第２リングに挿入するための第２挿入手段と、該第2分岐手段と該第２挿入手段の間に該第２光信号のトラフィックを選択的に送り又は終端させる第２波長遮断ユニットとを有するハブ・ノード
を有することを特徴とする光ネットワーク。
【０１０７】
（付記１９）
第１リングネットワーク上の第１光信号を通過または遮断する第１選択手段と、
該第１選択手段からの該第１光信号を加入者に分岐し加入者からの信号を該第１リングネットワークに挿入する第１分岐／挿入手段と、
該２リングネットワーク上の第２光信号を通過または遮断する第２選択手段と、
該第２選択手段からの該第２光信号を加入者に分岐し加入者からの信号を該第２リングネットワークに挿入する第２分岐／挿入手段と
を有することを特徴とするアクセスノード。
【０１０８】
（付記２０）
第１リングネットワーク上の該第１光信号を光コア・ネットワークに分岐する第１分岐手段と、
該光コア・ネットワークからの信号を該第１リングネットワークに挿入するための第１挿入手段と、
該第１分岐手段と該第1挿入手段の間に該第１光信号のトラフィックを選択的に送り又は終端させる第１波長遮断ユニットと、
第2リングネットワーク上の該第2光信号を分岐する第２分岐手段と、
該光コア・ネットワークからの信号を該第２リングネットワークに挿入するための第２挿入手段と、
該第2分岐手段と該第２挿入手段の間に該第２光信号のトラフィックを選択的に送り又は終端させる第２波長遮断ユニットと
を有することを特徴とするハブ・ノード。
【図面の簡単な説明】
【０１０９】
【図１】本発明の一実施態様に従う光ネットワークを示すブロック図である。
【図２】本発明の一実施態様に従う、図１のネットワークのアクセス・ノードの詳細を示すブロック図である。
【図３】本発明の一実施態様に従う、図２のアクセス・ノードの光カップラーの詳細を示すブロック図である。
【図４】本発明の一実施態様に従う、図１のネットワークのハブ・ノード詳細を示すブロック図である。
【図５】本発明の一実施態様に従う図４のハブ・ノードの波長遮断ユニット例を示すブロック図である。
【図６】本発明の他の実施態様に従う図４のハブ・ノードの波長遮断ユニットの他の例を示すブロック図である。
【図７】本発明の一実施態様に従う、図１の光ネットワークの構成例におけるネットワーク間トラフィック・ストリームの例を示すブロック図である。
【図８】本発明の一実施態様に従う、図７のネットワークにおけるトラフィック・ストリームの保護スイッチングと光路保護を示すブロック図である。
【図９】本発明の一実施態様に従う、図１の光ネットワークの構成例におけるネットワーク内トラフィック・ストリームの例を示すブロック図である。
【図１０】本発明の一実施態様に従う、図９のネットワークにおけるトラフィック・ストリームの保護スイッチングと光路保護とを示すブロック図である。
【符号の説明】
【０１１０】
１２  アクセス・ノード
１４  ハブ・ノード
１６、１８  リング
２０  コア・ネットワーク
６０  カップラー
６２  スイッチ
２１４  遮断ユニット
【図１】
2006191643.tif 000003
【図２】
2006191643.tif 000004
【図３】
2006191643.tif 000005
【図４】
2006191643.tif 000006
【図５】
2006191643.tif 000007
【図６】
2006191643.tif 000008
【図７】
2006191643.tif 000009
【図８】
2006191643.tif 000010
【図９】
2006191643.tif 000011
【図１０】
2006191643.tif 000012